(57)【要約】【課題】ユーザの意図しないタッチパネルへの接触による誤入力をより抑制することを目的とする。【解決手段】情報処理装置は、上下左右方向が定義された入力領域を有し、ペン及び手による入力操作を検知可能なタッチパネル１０と、入力領域に対するペンの入力座標とユーザの利き手情報とに基づいて、手による入力操作の無効化又は検知感度を低下させる感度変更領域を設定する領域設定部３６とを具備する。領域設定部３６は、例えば、ユーザの利き手が右手である場合、ペンの入力座標よりも右下に感度変更領域を設定し、ユーザの利き手が左手である場合、ペンの入力座標よりも左下に感度変更領域を設定する。【選択図】図６
2019192142.tif 000002
【特許請求の範囲】
【請求項１】
上下左右方向が定義された入力領域を有し、ペン及び手による入力操作を検知可能なタッチパネルと、
前記入力領域に対する前記ペンの入力座標とユーザの利き手情報とに基づいて、前記手による入力操作の無効化又は検知感度を低下させる感度変更領域を設定する領域設定部と
を具備する情報処理装置。
【請求項２】
前記領域設定部は、
前記ユーザの利き手が右手である場合、前記ペンの入力座標よりも右側に前記感度変更領域を設定し、
前記ユーザの利き手が左手である場合、前記ペンの入力座標よりも左側に前記感度変更領域を設定する請求項１に記載の情報処理装置。
【請求項３】
前記タッチパネルの傾き及び回転を検出可能な加速度センサをさらに有し、
前記加速度センサの出力に基づいて前記入力領域の上下左右方向が決定される請求項１または２に記載の情報処理装置。
【請求項４】
前記ユーザの利き手情報が格納されている記憶部を有し、
前記領域設定部は、前記記憶部に格納されている前記ユーザの利き手情報を用いて前記感度変更領域を設定する請求項１から３のいずれかに記載の情報処理装置。
【請求項５】
前記領域設定部は、前記ユーザの利き手の情報を有する機器と通信することにより、前記ユーザの利き手情報を取得し、取得した前記利き手情報を用いて前記感度変更領域を設定する請求項１から３のいずれかに記載の情報処理装置。
【請求項６】
前記ペンは、第１の位置に設けられた第１信号発生部と、第１の位置よりもペン先から離れた位置である第２の位置に設けられた第２信号発生部とを備え、
前記領域設定部は、
前記第１信号発生部からの信号が検知された前記タッチパネル上の第１検知位置と、前記第２信号発生部からの信号が検知された前記タッチパネル上の第２検知位置との位置関係および前記入力領域の上下左右方向に基づいて、ユーザの利き手を判定する利き手判定部を備え、前記利き手判定部の判定結果を用いて前記感度変更領域を設定する請求項１から３のいずれかに記載の情報処理装置。
【請求項７】
前記入力領域の上下左右方向における前記第１検知位置と前記第２検知位置との関係を利き手判定要素情報として蓄積する第１記憶部を備え、
前記利き手判定部は、前記第１記憶部に蓄積された利き手判定要素情報を統計的に分析することにより、ユーザの利き手を判定する請求項６に記載の情報処理装置。
【請求項８】
前記利き手判定部による利き手の判定結果を記憶する第２記憶部を有し、
前記領域設定部は、前記第２記憶部に格納されている前記利き手判定部による判定結果に基づいて前記感度変更領域を設定する請求項６または７に記載の情報処理装置。
【請求項９】
第１の位置に設けられた第１信号発生部と、第１の位置よりもペン先から離れた位置である第２の位置に設けられた第２信号発生部とを備えるペンの入力操作及び手による入力操作を検知可能なタッチパネルと、
前記第１信号発生部からの信号が検知された第１検知位置と、前記第２信号発生部からの信号が検知された第２検知位置との関係に基づいて、入力操作を無効化又は検知感度を低下させる感度変更領域を設定する領域設定部と
を具備する情報処理装置。
【請求項１０】
前記第１の位置は、前記ペンの先端である請求項９に記載の情報処理装置。
【請求項１１】
上下左右方向が定義された入力領域を有し、ペン及び手による入力操作を検知可能なタッチパネルと、
前記入力領域に対する前記ペンの入力座標を基準として、入力操作を無効化又は検知感度を低下させる感度変更領域の複数の候補を前記タッチパネルに表示させる候補領域提示部と、
複数の前記候補のうち、いずれか一つの前記候補が選択された場合に、前記入力領域の上下左右方向及び前記ペンの入力座標と選択された前記感度変更領域との位置関係を格納する記憶部と、
前記ペンの入力操作が検知された場合に、前記記憶部に格納されている前記入力領域の上下方向及び前記ペンの入力座標と前記感度変更領域との位置関係に基づいて、前記感度変更領域を設定する領域設定部と
を具備する情報処理装置。
【請求項１２】
前記ペンの入力座標に対する前記感度変更領域の相対位置及び前記感度変更領域の大きさの少なくとも一方がユーザによって調整可能とされている請求項１から１１のいずれかに記載の情報処理装置。
【請求項１３】
上下左右方向が定義された入力領域を有し、ペン及び手による入力操作を検知可能なタッチパネルを備える情報処理装置に適用される入力制御方法であって、
前記入力領域に対する前記ペンの入力座標とユーザの利き手情報とに基づいて、前記手による入力操作の無効化又は検知感度を低下させる感度変更領域を設定する入力制御方法。
【請求項１４】
第１の位置に設けられた第１信号発生部と、第１の位置よりもペン先から離れた位置である第２の位置に設けられた第２信号発生部とを備えるペンの入力操作及び手による入力操作を検知可能なタッチパネルを備える情報処理装置に適用される入力制御方法であって、
前記第１信号発生部からの信号が検知された第１検知位置と、前記第２信号発生部からの信号が検知された第２検知位置との関係に基づいて、入力操作を無効化又は検知感度を低下させる感度変更領域を設定する入力制御方法。
【請求項１５】
上下左右方向が定義された入力領域を有し、ペン及び手による入力操作を検知可能なタッチパネルを備える情報処理装置に適用される入力制御方法であって、
前記入力領域に対する前記ペンの入力座標を基準として、入力操作を無効化又は検知感度を低下させる感度変更領域の複数の候補を前記タッチパネルに表示させる候補領域提示工程と、
複数の前記候補のうち、いずれか一つの前記候補が選択された場合に、前記入力領域の上下左右方向及び前記ペンの入力座標と選択された前記感度変更領域との位置関係を記憶部に格納する記憶工程と、
前記ペンの入力操作が検知された場合に、前記記憶部に格納されている前記入力領域の上下方向及び前記ペンの入力座標と前記感度変更領域との位置関係に基づいて、前記感度変更領域を設定する領域設定工程と
を有する入力制御方法。
【請求項１６】
上下左右方向が定義された入力領域を有し、ペン及び手による入力操作を検知可能なタッチパネルを備える情報処理装置に適用される入力制御プログラムであって、
前記入力領域に対する前記ペンの入力座標とユーザの利き手情報とに基づいて、前記手による入力操作の無効化又は検知感度を低下させる感度変更領域を設定する処理をコンピュータに実行させるための入力制御プログラム。
【請求項１７】
第１の位置に設けられた第１信号発生部と、第１の位置よりもペン先から離れた位置である第２の位置に設けられた第２信号発生部とを備えるペンの入力操作及び手による入力操作を検知可能なタッチパネルを備える情報処理装置に適用される入力制御プログラムであって、
前記第１信号発生部からの信号が検知された第１検知位置と、前記第２信号発生部からの信号が検知された第２検知位置との関係に基づいて、入力操作を無効化又は検知感度を低下させる感度変更領域を設定する処理をコンピュータに実行させるための入力制御プログラム。
【請求項１８】
上下左右方向が定義された入力領域を有し、ペンの入力操作を検知可能なタッチパネルを備える情報処理装置に適用される入力制御プログラムであって、
前記入力領域に対する前記ペンの入力座標を基準として、入力操作を無効化又は検知感度を低下させる感度変更領域の複数の候補を前記タッチパネルに表示させる候補領域提示処理と、
複数の前記候補のうち、いずれか一つの前記候補が選択された場合に、前記入力領域の上下左右方向及び前記ペンの入力座標と選択された前記感度変更領域との位置関係を記憶部に格納する記憶処理と、
前記ペンの入力操作が検知された場合に、前記記憶部に格納されている前記入力領域の上下方向及び前記ペンの入力座標と前記感度変更領域との位置関係に基づいて、前記感度変更領域を設定する領域設定処理と
をコンピュータに実行させるための入力制御プログラム。
【発明の詳細な説明】
【技術分野】
【０００１】
本発明は、情報処理装置、入力制御方法、及び入力制御プログラムに関するものである。
【背景技術】
【０００２】
近年、ペン及び手指による入力操作を受け付けるタッチパネルを備える情報処理装置が普及している（例えば、特許文献１参照）。ペン及び手による入力操作の両方を検知可能なタッチパネルでは、ペンによる入力操作の際に、ペンを把持した手の側面がタッチパネルに接触し、この接触がユーザの意図しないタッチパネルへの入力と認識される場合がある。
【０００３】
このような誤入力を抑制するために、例えば、タッチパネルに対する接触面積を検知し、接触面積が所定の閾値よりも大きい場合に、その接触を入力として認識しない、いわゆるパームリジェクション機能を備えた情報処理装置が提案されている。
【先行技術文献】
【特許文献】
【０００４】
【特許文献１】特許第６２２０４２９号公報
【発明の概要】
【発明が解決しようとする課題】
【０００５】
しかしながら、接触面積に基づいてパームリジェクションを行う従来の手法では、手の側面の一部などのように接触面積が閾値に満たない場合には入力として認識してしまう。このため、誤検知を十分に抑制することができない可能性があった。
【０００６】
本発明は、このような事情に鑑みてなされたものであって、ユーザの意図しないタッチパネルへの接触による誤入力をより抑制することのできる情報処理装置、入力制御方法、及び入力制御プログラムを提供することを目的とする。
【課題を解決するための手段】
【０００７】
本発明の第一態様は、上下左右方向が定義された入力領域を有し、ペン及び手による入力操作を検知可能なタッチパネルと、前記入力領域に対する前記ペンの入力座標とユーザの利き手情報とに基づいて、前記手による入力操作の無効化又は検知感度を低下させる感度変更領域を設定する領域設定部とを具備する情報処理装置である。
【０００８】
本発明の第二態様は、第１の位置に設けられた第１信号発生部と、第１の位置よりもペン先から離れた位置である第２の位置に設けられた第２信号発生部とを備えるペンの入力操作及び手による入力操作を検知可能なタッチパネルと、前記第１信号発生部からの信号が検知された第１検知位置と、前記第２信号発生部からの信号が検知された第２検知位置との関係に基づいて、入力操作を無効化又は検知感度を低下させる感度変更領域を設定する領域設定部とを具備する情報処理装置である。
【０００９】
本発明の第三態様は、上下左右方向が定義された入力領域を有し、ペン及び手による入力操作を検知可能なタッチパネルと、前記入力領域に対する前記ペンの入力座標を基準として、入力操作を無効化又は検知感度を低下させる感度変更領域の複数の候補を前記タッチパネルに表示させる候補領域提示部と、複数の前記候補のうち、いずれか一つの前記候補が選択された場合に、前記入力領域の上下左右方向及び前記ペンの入力座標と選択された前記感度変更領域との位置関係を格納する記憶部と、前記ペンの入力操作が検知された場合に、前記記憶部に格納されている前記入力領域の上下方向及び前記ペンの入力座標と前記感度変更領域との位置関係に基づいて、前記感度変更領域を設定する領域設定部とを具備する情報処理装置である。
【００１０】
本発明の第四態様は、上下左右方向が定義された入力領域を有し、ペン及び手による入力操作を検知可能なタッチパネルを備える情報処理装置に適用される入力制御方法であって、前記入力領域に対する前記ペンの入力座標とユーザの利き手情報とに基づいて、前記手による入力操作の無効化又は検知感度を低下させる感度変更領域を設定する入力制御方法である。
【００１１】
本発明の第五態様は、第１の位置に設けられた第１信号発生部と、第１の位置よりもペン先から離れた位置である第２の位置に設けられた第２信号発生部とを備えるペンの入力操作及び手による入力操作を検知可能なタッチパネルを備える情報処理装置に適用される入力制御方法であって、前記第１信号発生部からの信号が検知された第１検知位置と、前記第２信号発生部からの信号が検知された第２検知位置との関係に基づいて、入力操作を無効化又は検知感度を低下させる感度変更領域を設定する入力制御方法である。
【００１２】
本発明の第六態様は、上下左右方向が定義された入力領域を有し、ペン及び手による入力操作を検知可能なタッチパネルを備える情報処理装置に適用される入力制御方法であって、前記入力領域に対する前記ペンの入力座標を基準として、入力操作を無効化又は検知感度を低下させる感度変更領域の複数の候補を前記タッチパネルに表示させる候補領域提示工程と、複数の前記候補のうち、いずれか一つの前記候補が選択された場合に、前記入力領域の上下左右方向及び前記ペンの入力座標と選択された前記感度変更領域との位置関係を記憶部に格納する記憶工程と、前記ペンの入力操作が検知された場合に、前記記憶部に格納されている前記入力領域の上下方向及び前記ペンの入力座標と前記感度変更領域との位置関係に基づいて、前記感度変更領域を設定する領域設定工程とを有する入力制御方法である。
【００１３】
本発明の第七態様は、上下左右方向が定義された入力領域を有し、ペン及び手による入力操作を検知可能なタッチパネルを備える情報処理装置に適用される入力制御プログラムであって、前記入力領域に対する前記ペンの入力座標とユーザの利き手情報とに基づいて、前記手による入力操作の無効化又は検知感度を低下させる感度変更領域を設定する処理をコンピュータに実行させるための入力制御プログラムである。
【００１４】
本発明の第八態様は、第１の位置に設けられた第１信号発生部と、第１の位置よりもペン先から離れた位置である第２の位置に設けられた第２信号発生部とを備えるペンの入力操作及び手による入力操作を検知可能なタッチパネルを備える情報処理装置に適用される入力制御プログラムであって、前記第１信号発生部からの信号が検知された第１検知位置と、前記第２信号発生部からの信号が検知された第２検知位置との関係に基づいて、入力操作を無効化又は検知感度を低下させる感度変更領域を設定する処理をコンピュータに実行させるための入力制御プログラムである。
【００１５】
本発明の第九態様は、上下左右方向が定義された入力領域を有し、ペンの入力操作を検知可能なタッチパネルを備える情報処理装置に適用される入力制御プログラムであって、前記入力領域に対する前記ペンの入力座標を基準として、入力操作を無効化又は検知感度を低下させる感度変更領域の複数の候補を前記タッチパネルに表示させる候補領域提示処理と、複数の前記候補のうち、いずれか一つの前記候補が選択された場合に、前記入力領域の上下左右方向及び前記ペンの入力座標と選択された前記感度変更領域との位置関係を記憶部に格納する記憶処理と、前記ペンの入力操作が検知された場合に、前記記憶部に格納されている前記入力領域の上下方向及び前記ペンの入力座標と前記感度変更領域との位置関係に基づいて、前記感度変更領域を設定する領域設定処理とをコンピュータに実行させるための入力制御プログラムである。
【発明の効果】
【００１６】
本発明によれば、ユーザの意図しないタッチパネルへの接触による誤入力をより抑制することができるという効果を奏する。
【図面の簡単な説明】
【００１７】
【図１】本発明の第１実施形態に係るタブレット端末の概略外観図である。
【図２】本発明の第１実施形態に係るタブレット端末のハードウェアの構成を示す概略図である。
【図３】本発明の第１実施形態に係る加速度センサの検出値について説明するための図である。
【図４】ペンによるタッチパネルへの入力操作を示す図である。
【図５】タッチパネルへの誤入力の状態を示す図である。
【図６】本発明の第１実施形態に係るタブレット端末が備える各種機能のうち、入力制御機能に関する機能を主に抽出して示した機能ブロック図である。
【図７】右利きの場合に設定される感度変更領域の一例を示した図である。
【図８】右利きの場合の感度変更領域の規定方法について説明するための図である。
【図９】左利きの場合に設定される感度変更領域の一例を示した図である。
【図１０】左利きの場合の感度変更領域の規定方法について説明するための図である。
【図１１】利き手の自動判別機能に用いられる一例としてのペンの概略外観図である。
【図１２】利き手の自動判別機能について説明するための図である。
【図１３】本発明の第２実施形態に係るタブレット端末が備える各種機能のうち、入力制御機能に関する機能を主に抽出して示した機能ブロック図である。
【図１４】感度変更領域の候補の一例を示した図である。
【図１５】本発明の第３実施形態に係るタブレット端末が備える各種機能のうち、入力制御機能に関する機能を主に抽出して示した機能ブロック図である。
【図１６】本発明の第３実施形態に係る感度変更領域の設定手法の一例について説明するための図である。
【図１７】本発明の第３実施形態に係る感度変更領域の設定手法の他の例について説明するための図である。
【図１８】本発明の他の実施形態に係る感度変更領域の設定手法の一例について説明するための図である。
【発明を実施するための形態】
【００１８】
以下、本発明の第１実施形態に係る情報処理装置、入力制御方法、及び入力制御プログラムについて、図面を参照して説明する。以下の説明では、情報処理装置の一例としてタブレット型コンピュータ（以下「タブレット端末」という。）を例示して説明するが、本発明の情報処理装置はこれに限定されない。
【００１９】
図１は、本発明の第１実施形態に係るタブレット端末１の概略外観図である。タブレット端末１は、筐体５と、筐体５の正面に設けられた略矩形上のタッチパネル１０とを備える。また、タブレット端末１は、赤外線カメラ４を更に備えていても良い。
タッチパネル１０は、入力される表示データをビデオ信号に変換し、変換したビデオ信号に応じた各種情報を表示画面に表示すると共に、ユーザの指及びペン３等の指示体を用いて行われる各種操作を検出する。
【００２０】
図２は、タブレット端末１のハードウェアの構成を示す概略図である。
タブレット端末１は、タッチパネル１０、ＣＰＵ（Central  Processing  Unit）１１、ＲＯＭ（Read  Only  Memory）１２、メモリ１３、グラフィクスアダプタ１４、デバイス回路１７、フラッシュメモリ１８、通信デバイス１９、加速度センサ２０等を備えており、各部はバス２２を介して直接または間接的に接続されている。タッチパネル１０は、例えば、ディスプレイ１５と、複数のタッチセンサ１６が配置（配列）され、ユーザによる入力操作を受け付ける入力領域とを備えている。本実施形態における「入力領域」とは、例えば、ユーザによる入力操作をタッチセンサ１６が検知可能な領域をいう。また「入力領域」は、タッチセンサ１６の検知機能がＣＰＵ１１等からの指令等により一時的に無効化される領域も含むものとする。例えば、タブレット端末１が、後述する本実施形態に係るパームリジェクション機能の他に、他の基準に基づく他のパームリジェクション機能（例えば、接触面積に基づくパームリジェクション機能等）を併せて搭載している場合において、上記「入力領域」は、他のパームリジェクション機能によって入力が無効化される領域も含むものとする。
【００２１】
ＣＰＵ１１は、バス２２を介して接続されたフラッシュメモリ１８に格納されたＯＳ（Operating  System）によりタブレット端末１全体の制御を行うとともに、フラッシュメモリ１８に格納された各種のプログラムに基づいて、タッチパネル１０を介したユーザの操作に応じた処理を実行する。
ＲＯＭ１２は、ＢＩＯＳ（Basic  Input／Output  System）や各種データ等を格納している。
メモリ１３は、キャッシュメモリやＲＡＭ（Random  Access  Memory）で構成されており、ＣＰＵ１１の実行プログラム（例えば、入力制御プログラム）の読み込み、及び実行プログラムによる処理データの書き込みを行う作業領域として利用される書き込み可能なメモリである。
【００２２】
グラフィクスアダプタ１４は、ＣＰＵ１１の制御に従って、表示情報をビデオ信号に変換し、変換したビデオ信号をディスプレイ１５に出力する。
ディスプレイ１５は、例えば、液晶ディスプレイ、有機ＥＬディスプレイ等であり、ＣＰＵ１１の制御に従って、グラフィクスアダプタ１４からのビデオ信号を画像として表示する。
【００２３】
タッチセンサ１６は、タッチパネル１０へのユーザの指及びペン３等の接触位置を検出して、デバイス回路１７に出力する。本実施形態に係るタッチセンサ１６は、一例として、ペン３による接触位置を電磁誘導方式により検出し、指による接触位置を静電容量方式により検出する、所謂、２レイヤーによる接触位置検出を可能とする。なお、ペンによる入力検知の方式及び指による入力検知の方式は一例であり、これらに限定されない。
なお、以下の説明において、ペン３による入力操作をペン入力ともいい、指による入力操作をタッチ入力ともいう。
デバイス回路１７は、タッチセンサ１６から出力された接触位置に基づいて入力座標を検知し、ＣＰＵ１１に出力するとともに、ＣＰＵ１１からの指令に基づいてタッチセンサの感度制御（入力制御）を行う。
【００２４】
なお、本実施形態では、ディスプレイ１５にタッチセンサ１６（入力領域）が重畳された構成、換言すると、ディスプレイ１５と入力領域とが共通の平板上に重畳して配置された構成を有するタッチパネル１０を例示して説明するが、タッチパネル１０の構成はこの例に限定されない。例えば、ディスプレイ１５と入力領域とは異なる筐体にそれぞれ設けられており、入力領域に対するユーザの入力操作がディスプレイ１５の表示に反映されるような構成とされていてもよい。
【００２５】
フラッシュメモリ１８は、例えば、タブレット端末１全体の制御を行うためのＯＳ、周辺機器類をハードウェア操作するための各種ドライバ、特定業務に向けられたアプリケーション、及び各種データやファイル等を格納する。なお、タブレット端末１は、フラッシュメモリ１８に代わる記憶手段としてＨＤＤ（Hard  Disk  Drive）等、他の記憶手段を備えてもよい。
【００２６】
通信デバイス１９は、ネットワークを介して他のデバイスとの通信を行う。
加速度センサ２０は、例えば、図３に示すように、タッチパネル１０に対して、その長手方向に平行なｘ方向、その短手方向に平行なｙ方向、ｘ方向及びｙ方向に垂直なｚ方向の加速度（重力加速度）をそれぞれ検出し、ｘｙｚ方向の加速度値Ａｘ（ｔ）、Ａｙ（ｔ）、Ａｚ（ｔ）をＣＰＵ１１に出力する。加速度センサ２０がｘｙｚ方向の重力加速度を検出することにより、タッチパネル１０の傾き及び回転を検出することができる。なお、ｚ方向とは、換言すると、タッチパネル１０（画面）に対する法線方向である。
【００２７】
ここで、図４に示すように、タッチパネル１０へのペン入力の際に、ペン３を把持した手の側面、例えば掌の側面や薬指、小指等（図４の破線で囲まれた領域）がタッチパネル１０の入力領域に接触し、この接触がユーザの意図しないタッチパネル１０への入力と認識される場合がある。この結果、図５に示されるように、例えば、画像描画プログラムを起動してペン３によって文字入力を行う場合等に、ユーザが意図したペン入力（領域Ａ内の入力）の他に、誤認識された入力（領域Ｂ内の入力）が行われることとなる。
そこで、本実施形態に係るタブレット端末１は、このようなユーザが意図しない入力の誤検知を抑制する入力制御機能を有する。
【００２８】
図６は、タブレット端末１が備える各種機能のうち、入力制御機能に関する機能を主に抽出して示した機能ブロック図である。図６に示されるように、タブレット端末１は、入力制御部３０を備える。入力制御部３０は、例えば、方向定義部３２、記憶部３４、及び領域設定部３６を備えている。これら各部によって実現される機能は、例えば、ＣＰＵ１１がフラッシュメモリ１８に格納されている入力制御プログラムをＲＡＭ等のメモリ１３に読み出して実行することにより実現される。
【００２９】
方向定義部３２は、加速度センサ２０からの信号に基づいて筐体５、すなわち、タッチパネル１０の入力領域における上下左右方向を決定する。例えば、方向定義部３２は、加速度センサ２０から出力されるＸ方向の重力加速度、Ｙ方向の重力加速度、及びＺ方向の重力加速度に基づいてタブレット端末１の向きを検出し、その向きに応じて上下左右を定義する。なお、タッチパネル１０の向き検出手法の原理は、例えば、公知である画面の自動回転機能と同様であるため、ここでの詳細な説明は省略する。また、タブレット端末１が画面の自動回転機能を有している場合には、自動回転機能によって定義された上下左右方向に関する情報を採用してもよい。
そのほか、方向定義部３２が、ユーザの顔の向きを検出して、その検出結果に基づいてタッチパネル１０の入力領域における上下左右方向を決定してもよい。例えば、タッチパネル１０上又はその近傍に赤外線カメラ４を設置して、目に見えない多数の赤外線のドットを顔に照射し、それを赤外線カメラ４で認識することでユーザの顔を認識し、ユーザの顔の向きを検出すればよい。なお、顔認識の技術については公知であるのでここでの詳細な説明は省略する。
【００３０】
記憶部３４には、例えば、ユーザの利き手情報および感度変更領域の定義情報（以下、「領域情報」という。）等が格納されている。
例えば、ユーザの利き手情報は、ユーザがタブレット端末１を使用する際に、利き手情報を問い合わせることとし、その問い合わせに対するユーザの回答を記憶部３４に格納することとしてもよい。
【００３１】
領域情報は、感度変更領域を設定するために必要となる情報であり、例えば、利き手に対応付けてそれぞれ設定されている。領域情報は、例えば、ペンの入力座標に対する感度変更領域の相対位置座標及び大きさ等を含んでいる。
【００３２】
例えば、図７に示すように、右利きの場合には、ペン先よりも右下の領域に手の側面が位置するため、ペン先に対して右側の領域、一例として右下の領域に感度変更領域４０ａが設定される。具体的には、図８に示すように、ペンの入力座標を基準座標（０，０）としたときの感度変更領域の基準座標（ｘ１，−ｙ１）、及び感度変更領域の幅Ｗ（感度変更領域の基準座標に対して右側へ向かう幅）及び高さＨ（感度変更領域の基準座標に対して下側へ向かう高さ）の情報が領域情報として記憶部３４に格納されている。
【００３３】
同様に、図９に示すように、左利きの場合には、ペン先よりも左下の領域に手の側面が位置するため、ペン先に対して左側の領域、一例として左下の領域に感度変更領域４０ｂが設定される。具体的には、図１０に示すように、ペンの入力座標を基準座標（０，０）としたときの感度変更領域の基準座標（−ｘ１，−ｙ１）及び感度変更領域の幅Ｗ（感度変更領域の基準座標に対して左側へ向かう幅）及び高さＨ（感度変更領域の基準座標に対して下側へ向かう高さ）の情報が領域情報として記憶部３４に格納されている。なお、感度変更領域を規定するために使用されるｘｙ平面は、タッチパネル１０の向き、換言すると、入力領域の向きに応じて回転する。具体的には、ｘ軸は左右方向に平行な軸であり、ｙ軸は上下方向に平行な軸として規定される。なお、上述した感度変更領域の大きさ（幅Ｗ、高さＨ）の情報に代えて、感度変更領域の各頂点の相対座標を規定することとしてもよい。
【００３４】
領域設定部３６は、デバイス回路１７からペンの入力座標が入力されると、記憶部３４に格納されたユーザの利き手情報および領域情報に基づいて、入力操作を無効化する感度変更領域をタッチパネル１０の入力領域に設定する。これにより、例えば、ユーザが右利きであれば、図７に示すようにペン先よりも右下の領域に感度変更領域４０ａが設定され、ユーザが左利きであれば、図９に示すように、ペン先よりも左下の領域に感度変更領域４０ｂが設定される。
【００３５】
また、領域設定部３６は、ペンの入力座標が移動した場合には、そのペンの入力座標の移動に合わせて感度変更領域を移動させる。これにより、ペン先と感度変更領域の相対的な位置関係は常に一定の関係を維持することとなる。
【００３６】
次に、本実施形態に係る入力制御部３０の処理の流れについて簡単に説明する。
まず、タッチセンサ１６によってペン入力が検知され、デバイス回路１７によってペンの入力座標が検出され、検出されたペンの入力座標が領域設定部３６に出力される。また、加速度センサ２０のセンサ検出値が方向定義部３２に出力され、タッチパネル１０の入力領域の上下左右方向が規定されて、領域設定部３６に出力される。領域設定部３６は、記憶部３４からユーザの利き手に応じた領域情報を取得し、この領域情報とペンの入力座標とタッチパネル１０の上下左右方向とに基づいて、タッチパネル１０の入力領域に感度変更領域を設定する。これにより、例えば、右利きのユーザであれば、ペンの入力座標に対して右下に感度変更領域４０ａが設定され、左利きのユーザであれば、ペンの入力座標に対して左下に感度変更領域４０ｂが設定される。感度変更領域では、手による入力が無効化される。すなわち、本実施形態では、静電容量方式による入力操作が無効化される。ここで、入力操作の無効化は、感度変更領域におけるタッチセンサ１６の検知自体を無効化してもよいし、タッチセンサ１６による検知自体は行うが、検出された入力操作を入力として取り扱わないことで無効化してもよい。このように、無効化の手法については特に限定されない。
【００３７】
以上説明したように、本実施形態に係る情報処理装置、入力制御方法、及び入力制御プログラムによれば、ユーザの利き手に応じて適切な位置に感度変更領域を設定するので、ペン３を把持した手（例えば、掌の側面や薬指、小指等）がタッチパネル１０の入力領域に接触してもこの入力を無効化することができる。これにより、ユーザの意図しない入力による誤検知を抑制することが可能となる。
【００３８】
なお、本実施形態では、ユーザの利き手情報をユーザ自身が入力することとしたが、利き手情報の取得方法についてはこの例に限定されない。例えば、利き手情報を有している他のデバイス（例えば、時計型コンピュータ）から自動的に利き手情報を取得し、記憶部３４に格納してもよい。例えば、腕時計型コンピュータ等のウェアラブルコンピュータと通信回線を接続し、通信デバイス１９を介してこれらのコンピュータが有しているユーザの利き手情報を取得し、記憶部３４に格納することとしてもよい。
【００３９】
また、自動的にユーザの利き手を判別する利き手判別機能を入力制御部３０に持たせることにより、ユーザの利き手を自動的に判別し、その判別結果を記憶部３４に格納することとしてもよい。以下、ユーザの利き手を自動的に判別する利き手判別機能（利き手判別部）について具体的に説明する。
【００４０】
ユーザの利き手を自動的に判別するためには、例えば、図１１に示すようなペン３’を使用する。このペン３’は、上述したペン３と同様に電磁誘導方式に対応するペンであるが、ペンの先端（第１の位置）及び先端とは異なる位置に磁界を発生させる機能（例えば、コイル等）が搭載されている。このように、利き手を判別するためのペン３’は、ペンの先端（第１の位置）において磁界を発生させる第１信号発生部６と、先端とは異なる位置（第２の位置）において磁界を発生させる第２信号発生部８とを備えている。
【００４１】
これにより、ユーザがペン３’を把持してタッチパネル１０にペン入力を行った際には、第１信号発生部６からの磁界と、第２信号発生部８からの磁界とがタッチセンサ１６によって検知されることとなる。このとき、ペンの先端（第１の位置）の方がタッチパネル１０の表面に近い位置で使用されるので、２点において検出された磁界の強さを比較することで、２つの入力座標のうち、どちらの入力座標がペンの先端（第１の位置）による検知位置であるかを判別することができる。そして、図１２に示すように、第１信号発生部６に対応する入力検知位置である第１検知位置Ｐ１と、第２信号発生部８に対応する入力検知位置である第２検知位置Ｐ２との位置関係に基づいてユーザの利き手が判別される。
【００４２】
すなわち、図１２に示すように、右利きであれば、ペンの先端の入力座標に対応する第１検知位置Ｐ１よりも第２検知位置Ｐ２が右側に位置し、左利きであれば、ペンの先端の入力座標に対応する第１検知位置Ｐ１よりも第２検知位置Ｐ２が左側に位置することとなる。このように、第１検知位置Ｐ１と第２検知位置Ｐ２との相対的な位置関係に基づいてユーザの利き手を判別することができる。
【００４３】
そして、利き手判別機能によって判別された利き手の情報を記憶部３４（第２記憶部）に格納することとし、記憶部３４に格納された以降においては、記憶部３４に格納されている利き手の情報を用いて感度変更領域を設定することとしてもよい。
【００４４】
なお、上述したような利き手判別機能を用いる場合には、所定の期間または所定のデータ数が蓄積されるまで、ユーザによって入力された第１検知位置Ｐ１と第２検知位置Ｐ２とからなる対データを記憶部（第１記憶部）に蓄積しておき、蓄積した複数の対データを統計的に分析することにより、利き手を判別することとしてもよい。このように、複数の対データを用いて利き手の判別を行うことにより、利き手判別の精度を高めることができる。
【００４５】
次に、本発明の第２実施形態に係る情報処理装置について図を参照して説明する。
上述した第１実施形態では、ユーザの利き手に応じて感度変更領域を設定していた。しかしながら、例えば、癖の強いペンの持ち方をするユーザもおり、そのような通常とは変わったペンの持ち方をするユーザについては、図７や図９に示した感度変更領域の位置では誤入力を抑制できない可能性がある。
【００４６】
そこで、本実施形態に係るタブレット端末では、ユーザがペン入力を行う際に、ペンの入力座標に対する感度変更領域の設定位置及び大きさをユーザがカスタマイズできる構成としている。以下、本実施形態に係るタブレット端末について、上述した第１実施形態と同様の構成については同一の符号を付して説明を省略し、異なる点について主に説明する。
【００４７】
図１３は本実施形態に係るタブレット端末が備える各種機能のうち、入力制御機能に関する機能を主に抽出して示した機能ブロック図である。図１３に示されるように、タブレット端末は、入力制御部３０ａを備える。入力制御部３０ａは、例えば、方向定義部３２、記憶部３４ａ、領域設定部３６、及び候補領域提示部３８を備えている。これら各部によって実現される機能は、例えば、ＣＰＵ１１がフラッシュメモリ１８に格納されている入力制御プログラムをＲＡＭ等のメモリ１３に読み出して実行することにより実現される。
【００４８】
候補領域提示部３８は、感度変更領域指定モードにおいて、例えば、図１４に示すように、ペンの入力座標に対する相対位置がそれぞれ異なる複数の感度変更領域の候補４０ａ〜４０ｅをタッチパネル１０のディスプレイ１５に表示させる。感度変更領域指定モードは、例えば、ユーザによって当該モードを指定する入力がなされたときや、タブレット端末にインストールされている所定のアプリケーションが起動されたときなどに起動されるが、この例に限定されない。
【００４９】
タッチパネル１０のディスプレイ１５に表示された複数の感度変更領域の候補４０ａ〜４０ｅのうち、一つの感度変更領域が選択されると、選択された感度変更領域の情報が記憶部３４ａに格納される。そして、ユーザによるペン入力が開始されると、領域設定部３６は、方向定義部３２から入力されるタッチパネル１０の上下左右情報及び記憶部３４ａに格納されているユーザによって指定された感度変更領域の領域情報に基づいて、ペンの入力座標に対する感度変更領域を設定する。
【００５０】
以上説明したように、本実施形態に係る情報処理装置、入力制御方法、及び入力制御プログラムによれば、感度変更領域を設定する位置や大きさをユーザが選択することができる。これにより、感度変更領域の設定の自由度を高めることができ、ユーザの書き癖に合わせた適切な感度変更領域を設定することが可能となる。
また、ユーザによって感度変更領域の候補が指定された場合に、更に、その感度変更領域の位置、向き、大きさをユーザが調整できる機能を持たせても良い。このようにすることで、ユーザに合わせて感度変更領域の設定をカスタマイズすることができ、更に自由度を高めることが可能となる。
【００５１】
次に、本発明の第３実施形態に係る情報処理装置について図１５を参照して説明する。上述した各実施形態では、タッチパネル１０の上下左右情報を用いる必要があった。これに対し、本実施形態に係る情報処理装置は、タッチパネル１０の上下左右情報を用いることなく、感度変更領域を設定する点で異なる。
以下、上述した第１実施形態と同様の構成については同一の符号を付して説明を省略し、異なる点について主に説明する。
【００５２】
図１５は本実施形態に係るタブレット端末が備える各種機能のうち、入力制御機能に関する機能を主に抽出して示した機能ブロック図である。図１５に示されるように、タブレット端末は、入力制御部３０ｂを備える。入力制御部３０ｂは、例えば、記憶部３４ｂ及び領域設定部３６ｂを備えている。これら各部によって実現される機能は、例えば、ＣＰＵ１１がフラッシュメモリ１８に格納されている入力制御プログラムをＲＡＭ等のメモリ１３に読み出して実行することにより実現される。
【００５３】
本実施形態に係るタブレット端末は、図１１に示したペン３’を用いたペン入力に対応している。ペン３’によるペン入力が行われることにより、タッチセンサ１６によって第１信号発生部６に基づく入力と、第２信号発生部８による入力とが検知される。デバイス回路１７は、第１信号発生部６に対応する入力座標（以下「第１入力座標」という。）と、第２信号発生部８に対応する入力座標（以下「第２入力座標」という。）とを検出し、これらを領域設定部３６ｂに出力する。
【００５４】
記憶部３４ｂには、感度変更領域の基準座標を演算するための演算式および感度変更領域の大きさ（例えば、幅Ｗ及び高さＨ）が領域情報として格納されている。例えば、記憶部３４ｂには、第１入力座標と第２入力座標との中点を感度変更領域の基準座標として定めるための演算式が登録されている。なお、感度変更領域の基準座標の決定手法はこの例に限定されず、２点から一意的に規定される座標として表されていればよい。また、感度変更領域は、第２入力座標を含むように設定される。
【００５５】
例えば、領域設定部３６ｂは、図１６に示すように、第１入力座標（ｘ３，ｙ３）と第２入力座標（ｘ４，ｙ４）との中点（（ｘ３＋ｘ４）／２，（ｙ３＋ｙ４）／２）を基準座標とし、かつ、第２入力座標（ｘ４，ｙ４）を含み、かつ、所定の幅Ｗ及び高さＨを有する感度変更領域４０ｆを設定する。
以上説明したように、本実施形態に係る情報処理装置、入力制御方法、及び入力制御プログラムによれば、タッチパネル１０の上下左右方向を使用することなく、利き手に応じた感度変更領域４０ｆを設定することが可能となる。
【００５６】
なお、本実施形態において、領域設定部３６ｂによる感度変更領域４０ｆの設定手法については上記例に限定されない。
例えば、領域設定部３６ｂは、図１７に示すように、第１検知位置Ｐ１を通り、タッチパネル１０の一辺に平行な第１基準線Ｌ１と、第１検知位置Ｐ１を通り第１基準線Ｌ１に直交する第２基準線Ｌ２とで区切られる４つの領域のうち、第２検知位置Ｐ２が位置する領域（ハッチングの領域）内に感度変更領域４０ｆを設定することとしてもよい。
【００５７】
以上、本発明について実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００５８】
例えば、上述した各実施形態では、情報処理装置をタブレット端末とする形態について説明したが、本発明は、これに限定されるものではなく、情報処理装置をデスクトップ型ＰＣ、ノート型ＰＣ、ＰＤＡ（Personal Digital Assistance）、及びスマートフォン等の情報処理装置としてもよい。
【００５９】
また、上述した各実施形態では、感度変更領域の入力を無効化する場合について説明したが、入力無効化に代えて感度変更領域の入力検知感度を低下させることとしてもよい。このように、タッチセンサ１６の感度を低下させることにより、感度変更領域における誤入力を抑制することができる。
【００６０】
また、各実施形態では、感度変更領域を構成する４辺がタッチパネルの４辺と平行となるように感度変更領域を定めていたが、これに限定されず、例えば、タッチパネル１０の４辺（ｘ軸、ｙ軸）に対する感度変更領域の基準となる辺とのなす角度を予め設定しておくことで、図１８に示すように、タッチパネル１０のｘ軸及びｙ軸に対して所定の角度を有する感度変更領域を設定することとしてもよい。
【００６１】
また、各実施形態に係る感度変更領域の設定は、タッチパネルに対する接触面積などに基づいて入力検知を無効化する公知の他のパームリジェクション機能を排除するものではなく、これら他のパームリジェクション機能と併せて用いられても良い。
【符号の説明】
【００６２】
１  タブレット端末
３、３’  ペン
６  第１信号発生部
８  第２信号発生部
１０  タッチパネル
１１  ＣＰＵ
１５  ディスプレイ
１６  タッチセンサ
１７  デバイス回路
１８  フラッシュメモリ
１９  通信デバイス
２０  加速度センサ
３０、３０ａ、３０ｂ  入力制御部
３２  方向定義部
３４、３４ａ、３４ｂ  記憶部
３６、３６ｂ  領域設定部
３８  候補領域提示部
【図１】
2019192142.tif 000003
【図２】
2019192142.tif 000004
【図３】
2019192142.tif 000005
【図４】
2019192142.tif 000006
【図５】
2019192142.tif 000007
【図６】
2019192142.tif 000008
【図７】
2019192142.tif 000009
【図８】
2019192142.tif 000010
【図９】
2019192142.tif 000011
【図１０】
2019192142.tif 000012
【図１１】
2019192142.tif 000013
【図１２】
2019192142.tif 000014
【図１３】
2019192142.tif 000015
【図１４】
2019192142.tif 000016
【図１５】
2019192142.tif 000017
【図１６】
2019192142.tif 000018
【図１７】
2019192142.tif 000019
【図１８】
2019192142.tif 000020